(57)【要約】【課題】写真プリントシステムにおいて、１つのオーダーの画像を極力１つの記録媒体にまとめる操作を容易に行えるようにする。【解決手段】入力された画像の画像データに基づいて写真プリントを作製する写真プリント装置と、画像データを記録媒体へ書き込む書込み装置ＤＲとが備えられた写真プリントシステムにおいて、１つのオーダーにおいて前記記録媒体へ書込むように指定された画像の情報を、１つの記録媒体に収まる画像を特定可能な状態でモニタに表示させる書込み管理装置ＢＣが設けられている。【選択図】図１
2005322039.tif 000002
【特許請求の範囲】
【請求項１】
入力された画像の画像データに基づいて写真プリントを作製する写真プリント装置と、画像データを記録媒体へ書き込む書込み装置とが備えられた写真プリントシステムであって、
１つのオーダーにおいて前記記録媒体へ書込むように指定された画像の情報を、１つの記録媒体に収まる画像を特定可能な状態でモニタに表示させる書込み管理装置が設けられている写真プリントシステム。
【請求項２】
入力された画像の画像データを補正処理する画像処理装置が備えられ、
前記書込み装置に、画像処理装置にて補正処理後の画像データを書き込むように構成されている請求項１記載の写真プリントシステム。
【請求項３】
前記書込み管理装置は、前記記録媒体へ書き込む画像のファイルサイズを標準のファイルサイズよりも縮小操作可能に構成されている請求項１又は２記載の写真プリントシステム。
【請求項４】
前記書込み管理装置は、前記縮小操作の要否を画像毎に設定可能に構成されている請求項３記載の写真プリントシステム。
【請求項５】
前記書込み管理装置は、前記縮小操作における縮小条件を画像毎に設定可能に構成されている請求項３又は４記載の写真プリントシステム。
【請求項６】
モニタに表示する写真プリントのリプリント注文受付用画面表示において、写真プリントの作製を行わないように設定可能に構成され、
前記書込み管理装置は、前記リプリント注文受付用画面表示で入力されたリプリント枚数が零でない画像について前記記録媒体への書込み処理を実行させるように構成されている請求項１〜５のいずれか１項に記載の写真プリントシステム。
【発明の詳細な説明】
【技術分野】
【０００１】
本発明は、入力された画像の画像データに基づいて写真プリントを作製する写真プリント装置と、画像データを記録媒体へ書き込む書込み装置とが備えられた写真プリントシステムに関する。
【背景技術】
【０００２】
かかる写真プリントシステムは、顧客のプリント注文（オーダー）に応じて、例えば、写真フィルムの駒画像をフィルムスキャナにて読取ることによって入力される画像データや、デジタルカメラの撮影画像を読み込むことによって入力される画像データ等に基づいて、写真プリントを作製するシステムであり、更に、顧客が希望する場合には、下記特許文献１にも記載のような、そのオーダーの画像を記録媒体へ書き込んで顧客に提供するサービスも行えるようにしている。
このように、記録媒体に画像データを書き込んで顧客に提供するサービスを行う場合、書込み画像の画質の向上に伴って画像ファイルのファイルサイズが大きくなり、１つのオーダーの画像が１つの記録媒体に収まりきらず、１つのオーダーの画像を２つ以上の記録媒体に分割して書き込むケースも発生している。
このような場合、従来は、１つのオーダーの画像を書き込んだ複数の記録媒体をそのまま顧客に提供していた。
【特許文献１】特開平１１−８８５７７号公報
【発明の開示】
【発明が解決しようとする課題】
【０００３】
従って、顧客側では、１つのオーダーについて複数の記録媒体を管理していく必要があり、記録媒体の管理が煩雑なものとなってしまう場合が少なくなかった。
本発明は、かかる実情に鑑みてなされたものであって、その目的は、１つのオーダーの画像を極力１つの記録媒体にまとめる操作を容易に行えるようにする点にある。
【課題を解決するための手段】
【０００４】
本出願の第１の発明は、入力された画像の画像データに基づいて写真プリントを作製する写真プリント装置と、画像データを記録媒体へ書き込む書込み装置とが備えられた写真プリントシステムにおいて、１つのオーダーにおいて前記記録媒体へ書込むように指定された画像の情報を、１つの記録媒体に収まる画像を特定可能な状態でモニタに表示させる書込み管理装置が設けられている。
従って、写真プリントシステムのオペレータは、モニタに表示される情報から、１つのオーダーにおいてどれだけの画像が１つの記録媒体へ書き込めるかを、個々の画像を特定した状態で認識できる。
これによって、そのままでは１つの記録媒体に収まりきらないとわかったときは、例えば、それほど重要でない画像として顧客に指定してもらった画像を記録媒体への書込み対象から外す等して、１オーダーについての画像を１つの記録媒体にまとめて書込む操作を行うことが可能となる。
【０００５】
又、本出願の第２の発明は、上記第１の発明の構成に加えて、入力された画像の画像データを補正処理する画像処理装置が備えられ、前記書込み装置に、画像処理装置にて補正処理後の画像データを書き込むように構成されている。
すなわち、画像処理装置にて補正処理した高品質の画像を記録媒体に書込んで顧客に提供するサービスを行う場合において、１オーダーについての画像を１つの記録媒体にまとめて書込む操作を行うことが可能となる。
【０００６】
又、本出願の第３の発明は、上記第１又は第２の発明の構成に加えて、前記書込み管理装置は、前記記録媒体へ書き込む画像のファイルサイズを標準のファイルサイズよりも縮小操作可能に構成されている。
すなわち、１つのオーダーについての画像を１つの記録媒体へまとめる操作を行うについては、上述のように、重要でない画像を書込み対象から外すことによっても行うことができるが、画像のファイルサイズを標準のファイルサイズよりも縮小できる機能を備えることで、当初に書込み対象に指定していた画像を書込み対象から外すような作業を回避できるか、あるいは、書込み対象から外す画像が発生するにしても極力少なくすることができる。
【０００７】
又、本出願の第４の発明は、上記第３の発明の構成に加えて、前記書込み管理装置は、前記縮小操作の要否を画像毎に設定可能に構成されている。
すなわち、画像のファイルサイズを縮小する操作は、画像サイズの縮小あるいは画像の圧縮率の増大等によって実現できるが、いずれにしてもこのような操作は、何らかの形で画像品質の低下をもたらす。
そこで、画像のファイルサイズを標準の状態以上に縮小する操作の要否を、各画像毎に行えるようにすることで、重要な画像についてはそのような縮小操作を行わず、それほど重要でない画像については縮小操作を実行して、１つのオーダーについての画像を１つの記録媒体へまとめることが可能となる。
【０００８】
又、本出願の第５の発明は、上記第３又は第４の発明の構成に加えて、前記書込み管理装置は、前記縮小操作における縮小条件を画像毎に設定可能に構成されている。
画像のファイルサイズを標準のファイルサイズよりも縮小する縮小条件を、各画像毎に行えるようにすることで、重要な画像については縮小率が小さく画像品質の低下の小さい縮小操作を行い、それほど重要でない画像については縮小率が大きく画像品質の低下が比較的大きい縮小操作を実行して、１つのオーダーについての画像を１つの記録媒体へまとめることが可能となる。
【０００９】
又、本出願の第６の発明は、上記第１〜第５のいずれかの発明の構成に加えて、モニタに表示する写真プリントのリプリント注文受付用画面表示において、写真プリントの作製を行わないように設定可能に構成され、前記書込み管理装置は、前記リプリント注文受付用画面表示で入力されたリプリント枚数が零でない画像について前記記録媒体への書込み処理を実行させるように構成されている。
すなわち、１つのオーダーの画像において、記録媒体へ書込む画像を個々に指定しようとするとき、モニタ表示上で個々の画像の情報が識別可能な状態で表示され、その表示上で画像を個々に指定する操作を行うのが便利である。
このような入力操作を行うための処理を他の処理と独立した状態で組み込むことも可能であるが、他に類似の操作を行う処理部分が存在すれば、記録媒体への書込み対象画像を指定する処理をその処理部分に統合した方がシステムの開発負担を軽減できる。
このような個々の画像の情報が表示される処理部分としては、初回の写真プリントの作製作業時において、個々の画像の色補正条件をオペレータが入力操作する処理部分と、顧客から焼き増しプリントを依頼されたときに、１オーダーのうちのどの画像をリプリントするかを指定するための処理部分とがある。
【００１０】
これらのうち、前者では、色補正条件の入力作業という処理の性質上、必然的に画像自体を表示する必要があり、１画面に表示できる画像数も限られるため、表示画面を順次に切り換えながら、個々の画像を指定するという作業が必要になってしまう。
これに対して、後者については、各画像毎にリプリント枚数を指定するための画面を含むリプリント注文受付用画面表示では、そのような画像表示が必要とならず、多数の画像についての入力欄を一括して表示させて、その情報にオペレータがアクセスできる。
従って、記録媒体へ書込む画像を指定する作業を簡単に行うことができ、しかも、記録媒体へ書込むか否かを画像毎に指定する機能を整合性良く組み込むことができる。
【発明の効果】
【００１１】
上記第１の発明によれば、１つのオーダーの画像について、そのままでは１つの記録媒体に収まりきらないときに、個々の画像について、その画像が記録媒体に収まるか否かを識別できるので、１つのオーダーの画像を極力１つの記録媒体にまとめる操作を容易に行えるものとなった。
又、上記第２の発明によれば、画像処理装置にて補正処理した高品質の画像を記録媒体に書込んで顧客に提供するサービスを行う場合において、１オーダーについての記録媒体への書込みを１つの記録媒体にまとめる操作を行うことが可能となり、顧客に対して、高品質な画像を記録した記録媒体を取扱い容易な形態で提供することができるものとなった。
【００１２】
又、上記第３の発明によれば、当初に書込み対象に指定していた画像を、極力書込み対象の画像として維持できるものとなり、１オーダーの画像について記録媒体にて提供するサービスをより有意義なものとして提供できる。
又、上記第４の発明によれば、重要な画像については前記縮小操作を行わず、それほど重要でない画像については前記縮小操作を実行して、重要な画像については可及的に高品質な画質を維持しながら、１つのオーダーについての画像を１つの記録媒体へまとめることが可能となった。
【００１３】
又、上記第５の発明によれば、重要な画像については縮小率を小さくして画像品質の低下を可及的に抑制し、それほど重要でない画像については縮小率が大きくして、１つのオーダーについての画像を１つの記録媒体へまとめることが可能となる。
又、上記第６の発明によれば、多数の画像についての入力欄を一括して表示させて、その情報にオペレータがアクセスすることで、記録媒体へ書込む画像を指定する作業を簡単に行うことができ、しかも、記録媒体へ書込むか否かを画像毎に指定する機能を整合性良く組み込めることで、システムの開発コストを軽減できるものとなった。
【発明を実施するための最良の形態】
【００１４】
以下、本発明の写真プリントシステムの実施の形態を図面に基づいて説明する。
本実施の形態で例示する写真プリントシステムＤＰは、いわゆるデジタルミニラボシステムとして知られているものであり、図２のブロック図に示すように、現像処理済みの写真フィルム，メモリーカード，光磁気ディスクあるいはＣＤ−Ｒメディア等の記録画像から画像データを取込む画像入力装置ＩＲと、画像入力装置ＩＲにて取込んだ画像データを画像形態対象部材である印画紙２にプリント処理して写真プリントを作製する写真プリント装置ＥＰとがネットワーク接続されて構成されている。
【００１５】
〔画像入力装置ＩＲの概略構成〕
画像入力装置ＩＲには、図２に概略的に示すように、写真フィルムの駒画像を読み取るフィルムスキャナ３と、パーソナルコンピュータにて構成される制御装置４と、フィルムスキャナ３等から入力された写真プリント作製用の画像データを補正処理する画像処理装置５とが備えられている。
制御装置４には、メモリーカードリーダ，光磁気ディスクドライブ及びＣＤ−Ｒ／ＲＷドライブ等を備えた外部入出力装置４ａと、仕上がりプリント画像をシミュレートしたシミュレート画像や各種の制御用の情報を表示するモニタ４ｂと、露光条件の手動設定等や制御情報の入力操作をするための操作卓４ｃとが接続され、更に図示を省略するマウス等も備えられている。
外部入出力装置４ａは、備えられている各ドライブから画像データの取込みが可能であると共に、各ドライブに対応した記録媒体に画像データ等を記録可能である。従って、外部入出力装置４ａは、入力データを記録媒体へ書き込む書込み装置ＤＲとして機能する。
【００１６】
〔画像処理装置５の概略構成〕
画像処理装置５には、図１に示すように、フィルムスキャナ３から入力された画像データを一時的に記憶保持する入力バッファメモリ２１と、入力バッファメモリ２１に記憶された画像の縮小画像を生成するサムネール生成回路２２と、入力バッファメモリ２１から読み込んだ画像データの補正処理を行う補正処理回路２３と、補正処理回路２３にて補正処理が完了した画像データを一時的に記憶保持する出力バッファメモリ２４とが備えられる他、制御装置４とデータ通信を行うための送受信インターフェース２５，２６が備えられている。
【００１７】
制御装置４側では、送受信インターフェース２５，２６の夫々と通信するために、２つの通信用拡張基板３１が制御装置４の本体基板３２に取り付けられている。
各通信用拡張基板３１上には、夫々、送受信インターフェース２５，２６の夫々とデータ通信するための送受信インターフェース４１と、送受信インターフェース４１を介して入力された画像データを記憶する画像データ受信用の受信メモリ４２とが備えられている。
【００１８】
〔写真プリント装置ＥＰの全体構成〕
図２に示すように、写真プリント装置ＥＰは、筐体内部に、画像形成装置ＥＸと、画像形成装置ＥＸにて露光形成された印画紙２を現像処理する現像処理装置ＰＰと、筐体内に配置された印画紙マガジン６から引き出された印画紙２を多数の搬送ローラ９等にて現像処理装置ＰＰへ搬送する印画紙搬送系ＰＴとが設けられている。
図示を省略するが、プリント装置ＥＰの筐体外部には、現像処理装置ＰＰにて現像処理及び乾燥処理された印画紙２をオーダー毎に分類するためのソータが備えられ、現像処理装置ＰＰの排出口から排出された印画紙２をコンベア１０にてソータへ搬送する。
更に、印画紙搬送系ＰＴの搬送経路の途中には、印画紙マガジン６から引き出された長尺の印画紙２を設定プリントサイズに切断するカッタ１１と、印画紙２を複数の搬送列に振り分けるための振り分け装置１２とが備えられている。
【００１９】
〔画像形成装置ＥＸの構成〕
画像形成装置ＥＸは、印画紙２上に露光画像を形成する画像形成ヘッド１４と、画像形成ヘッド１４を制御するプリント制御装置１５とを主要部として構成されている。
画像形成ヘッド１４は、設定プリントサイズに切断された印画紙２の搬送経路の途中箇所を画像形成位置とするように取り付けられ、その画像形成位置において印画紙搬送方向（副走査方向）と直交する方向（主走査方向）でレーザビームを走査する。
プリント制御装置１５は、画像処理装置５から専用通信ラインで入力された画像データあるいは制御装置４からネットワーク経由で入力された画像データに基づいて強度変調されたレーザビームが画像形成ヘッド１４から出射されるように、画像形成ヘッド１４を制御する。
印画紙搬送系ＰＴにて搬送駆動される印画紙２に対して上述のように強度変調されたレーザビームが走査されることで、印画紙２上に画像が露光形成され、それが現像処理装置ＰＰにて現像処理されると写真プリントとして仕上がる。
【００２０】
〔制御装置４等の概略動作〕
次に制御装置４等の動作を、制御装置４が実行する図３乃至図６のフローチャート、及び、図７乃至図１０のモニタ４ｂの画面表示例に即して説明する。
制御装置４は、図３乃至図６に示す処理を実行することで、画像データの記録媒体への書込みを管理する書込み管理装置ＢＣとして機能する。
【００２１】
顧客からの初回のプリント注文を受け付けるときには、モニタ４ｂに「オーダー入力画面」が表示されており、オペレータは、この「オーダー入力画面」から、操作卓４ｃやマウス等を操作して、必要な情報を入力する。
この「オーダー入力画面」画面で入力される情報には、そのオーダーについてＣＤ−Ｒメディア等の記録媒体へ画像データを書き込むか否かを設定する情報が含まれる。ここで、オーダーとはプリント注文の注文単位であり、一般には、写真フィルム１本、メモリーカード１枚を１オーダーとして取り扱う場合が多い。
【００２２】
取り扱うオーダーが写真フィルムからの写真プリントの作製である場合について説明する。
前記「オーダー入力画面」で所定の情報を入力して、オペレータがフィルムの読取り開始を指示すると、フィルムスキャナ３がセットされている写真フィルムの駒画像の読取りを開始し、その読取った駒画像の画像データは順次に画像処理装置５へ入力される。
画像処理装置５では、フィルムスキャナ３から写真フィルムの駒画像が読取り画像データが順次に入力されてくると、その入力されてくる画像データを入力バッファメモリ２１へ順次に蓄積していく。
【００２３】
画像処理装置５は入力された画像を所定の補正条件で自動的に補正処理する機能を有するが、更に、その補正処理が適正か否かをオペレータがモニタ４ｂで目視により判断して、必要であれば補正処理条件を入力操作できる機能が写真プリントシステムＤＰに備えられている。
このためサムネール生成回路２２は、オペレータがモニタ４ｂに表示された画像を目視して補正処理条件を入力するように設定されているときに、入力バッファメモリ２１から６駒単位で画像を読み出してそれの縮小画像を作製し、その縮小画像に所定の画像補正処理を施して送受信インターフェース２５を経て制御装置４側へ送信する。
制御装置４側では、送受信インターフェース２５から縮小画像の画像データが送られてくると、送受信インターフェース２５と接続した通信用拡張基板３１の受信メモリ４２へ順次に書き込んで行く。
【００２４】
制御装置４では、写真プリントシステムＤＰのオペレータが手動操作で画像の補正を行うための画像補正プログラムが実行されており、受信メモリ４２に前記縮小画像が書き込まれると、その縮小画像を利用してモニタ４ｂに画像補正作業用の画面表示を行う。
その画面表示上でオペレータが必要な補正の指示を完了すると、その６駒について入力された補正指示が送受信インターフェース２５を経て画像処理装置５の補正処理回路２３へ送信される。このときの色補正の指示情報は、焼き増し注文（リプリント注文）を受けたときに利用できるように、そのオーダーのオーダー番号及び駒番号と対応付けて制御装置４に記録保存される。
制御装置４から補正指示を受け取るに伴って、補正処理回路２３は、補正指示のあった６駒の画像を入力バッファメモリ２１から読み出して、所定の補正処理条件を入力された補正指示に従って修正して色補正、シャープネス等の各種の補正処理を行って行く。
【００２５】
補正処理回路２３の処理と並行して、サムネール生成回路２２は後続の６駒の画像の縮小画像を生成して、制御装置４へ送信し、上記の処理が繰り返される。
補正処理回路２３へ画像データが送り出されて空きが生じた入力バッファメモリ２１の記憶エリアには、更に後続の画像データがフィルムスキャナ３から入力されるときは、その画像データが書き込まれていく。
【００２６】
補正処理回路２３にて補正処理が完了した画像データは出力バッファメモリ２４へ書き込まれ、その１オーダーの画像について補正処理が完了した時点で、前記「オーダー入力画面」においてＣＤ−Ｒメディア等の記録媒体へ画像データを書き込む旨の設定がされているときは、画像処理装置５から制御装置４へ１オーダーの画像について補正処理が完了した旨を示す信号が報知される。
制御装置４は、この信号の受信に伴って図３に示す「画像データ出力処理」の実行を開始し、画像処理装置５に対して補正処理後の画像データの送信を要求し（ステップ＃１）、送信されてくる画像データを順次に受け取って（ステップ＃２）、１オーダー分の画像を全て受け取ると（ステップ＃３）、受け取った画像データをＣＤ−Ｒメディア等の記録媒体へ書込むためのデータに編成し（ステップ＃４）、出力先に指定されている外部入出力装置４ａのドライブへ書込みデータを送って、書込ませる（ステップ＃５）。
このとき、記録媒体への書込み対象となるのは、１オーダー分の全画像である。
【００２７】
次に、焼き増しプリントを作製する際の処理について説明する。
顧客から焼き増しプリントの依頼を受けたときは、写真プリントシステムのオペレータは、制御装置４においてリプリント処理を実行するためのプログラムを起動し、一群のリプリント注文受付用画面表示をモニタ４ｂに表示させて、必要な情報を入力する。
一群のリプリント注文受付用画面表示には、写真プリントの作製のみを行う動作設定と、ＣＤ−Ｒメディア等の記録媒体への書込み処理のみを行う動作設定と、写真プリントの作製及び記録媒体への書込み処理の双方を行う動作設定とのうちのいずれかを指定するための画面表示が含まれている。
すなわち、焼き増しプリントの注文を受けた際の処理を基本とするが、記録媒体への書込み処理をも併せて実行する機能、更には、写真プリントを作製せずに記録媒体への書込み処理を実行する機能も備えている。
【００２８】
上記の動作設定のいずれかが指定されると、制御装置４は、図４及び図５に示す「リプリント処理」を開始する。
先ず、上記動作設定の指定内容に応じて、写真プリントの作製が必要であれば（ステップ＃１１）、その旨を示すデータを登録し（ステップ＃１２）、記録媒体への書込み処理が必要であれば（ステップ＃１３）、その旨を示すデータを登録して（ステップ＃１４）、モニタ４ｂに、図７に示す「リプリント入力」の画面表示を行う（ステップ＃１５）。この「リプリント入力」の画面表示も、リプリント注文受付用画面表示の一つである。
「リプリント入力」の画面表示では、ネガシートでのピースフィルム（６駒に切断された写真フィルム）の並びに対応して、各駒毎に焼き増しプリントのプリント枚数を入力するためのリプリント枚数入力欄５１が表示される他、リプリント枚数入力欄５１でマウス等により選択された駒についての色補正の情報を表示する色補正情報表示欄５２が表示される。色補正情報表示欄５２では、原則として、初回のプリント注文時に設定した色補正情報が読み出されて表示されるが、顧客の要望等に応じてオペレータが色補正情報を修正入力することも可能であり、入力欄としての機能も備えている。
【００２９】
リプリント枚数入力欄５１に入力される数値は、写真プリントの作製のみを行うように動作設定されているときは、各駒毎の写真プリントの作製枚数を意味し、ＣＤ−Ｒメディア等の記録媒体への書込み処理のみを行うように動作設定されているときは、入力値が零のときはその駒の画像を記録媒体へ書込み処理しないことを意味し、入力値が１以上の零でない数値であるときはその駒の画像を記録媒体へ書込み処理することを意味する。
更に、写真プリントの作製及び記録媒体への書込み処理の双方を行うように動作設定されているときは、入力値が写真プリントの作製枚数を意味すると共に、入力値が零のときはその駒の画像を記録媒体へ書込み処理せず、入力値が１以上の零でない数値であるときはその駒の画像を記録媒体へ書込み処理することをも意味する。
【００３０】
図７の画面表示での入力が完了すると（ステップ＃１６）、その入力画面での入力データを取込み（ステップ＃１７）、次に、フィルムスキャナ３に対して画像データの送信を要求する（ステップ＃１８）。
フィルムスキャナ３は、この送信要求に応えて、セットされている写真フィルムの駒画像の読取りを開始し、読取った画像データを順次に画像処理装置５へ出力する。
画像処理装置５は、制御装置４から指示された補正条件（色補正情報表示欄５２で入力されたもの）で受け取った画像データを補正処理して出力バッファメモリ２４へ書込み、１オーダーの全ての駒画像について処理が完了すると、その旨を制御装置４へ報知する。
【００３１】
。
制御装置４は、この補正処理が完了した旨の信号を受け取ると（ステップ＃１９）、記録媒体への書込み処理を行うように登録されていないときは（ステップ＃２０）、補正処理後の画像データをプリント制御装置１５へ送信してプリント処理させるように、画像処理装置５に指示する（図５のステップ＃４１）。このとき、プリント枚数の情報も併せて送信される。
画像処理装置５は、この指示を受け取ると、プリント枚数の情報と共に、出力バッファメモリ２４からプリント制御装置１５へ画像データを送信する。この送信によって空いたメモリエリアには後続の補正処理済み画像データが書込まれていく。
【００３２】
一方、記録媒体への書込み処理を行うように登録されているときは（ステップ＃２０）、画像処理装置５へ補正処理済みの画像データの送信を要求し（ステップ＃２１）、この送信要求に応じて画像処理装置５が送信する各駒画像の画像データを順次に受け取る（ステップ＃２２，＃２３）。
画像処理装置５からの画像データの受取りが完了すると（ステップ＃２３）、写真プリントを作製するように登録されているときは（ステップ＃２４）、ステップ＃４１と同様にして写真プリントの作製を指示し（ステップ＃２５）、写真プリントを作製するように登録されていないときは（ステップ＃２４）、画像処理装置５に対して、制御装置４への送信が完了した画像データを記憶していたメモリエリアに後続の補正処理済み画像データを書込むのを許容する旨の信号を送信する（ステップ＃２６）。
【００３３】
次に、図８に示す出力画像調整画面表示をモニタ４ｂに表示する（ステップ＃２７）。
図８の出力画像調整画面表示は、記録媒体へ画像データを書込み処理する際の各種の情報を表示及び入力受付する画面表示であり、上部に、書込み処理する記録媒体の種類を選択指定する出力先メディア指定欄５５と、書込み対象の記録媒体に書込む画像として既に登録されている画像のデータ量を示す使用容量表示欄５６と、空き容量を表示する空き容量表示欄５７と、その空き容量で何駒の画像を記録できるかを推定して表示する書込み可能駒数表示欄５８と、記録媒体の書込み容量に応じて画像ファイルのファイルサイズを自動調整するか否かを設定するチェックボックス５９と、記録媒体の使用量を表示するバーグラフ６０とを表示している。
【００３４】
その下方には、出力画像調整画面表示を、図８の表示状態と図９の表示状態とに切り換え指示するための表示切り替えボタン６１と、画像処理装置５から受け取った画像をサムネール表示する画像表示欄６２と、画像表示欄６２においてマウス等により選択された駒画像についての情報を表示する駒情報表示欄６３とが表示され、更にその下方には、画像表示欄６２に表示されている駒画像を一括して記録媒体への書込み対象として登録する全選択ボタン６４と、マウス等により選択された駒画像を記録媒体への書込み対象から外すための選択解除ボタン６５と、記録媒体への書込み対象として登録されている駒画像について書込み条件を設定変更するための設定変更ボタン６６と、必要な入力操作を完了して記録媒体への書込み処理を開始させるためのＯＫボタン６７と、入力操作を取り消して処理を中止させるためのキャンセルボタン６８とを表示している。
【００３５】
画像表示欄６２では、図７のリプリント入力画面において記録媒体へ書込み処理するように指定された駒画像の周囲を例えば黄色等の色付き枠（図８においては、左上がりの斜線を付して表示）で囲んで表示し、１つのオーダーにおいて記録媒体へ書込むように指定された画像の情報を、その画像自体によって表示している。
更に、マウス等の操作で選択された駒画像の周囲を例えば紺色等の色違いの色付き枠（図８においては、右上がりの斜線を付して表示）で囲んで表示している。
尚、画像表示欄６２では、表示される駒画像を縦スクロール操作によって入れ替える構成としている。
オペレータは、画像表示欄６２における駒画像の色付き枠の有無と、バーグラフ６０等とを対比することによって、１つのオーダーにおいて記録媒体へ書込むように指定された画像の情報を、１つの記録媒体に収まる画像を特定可能な状態で把握することができる。
尚、バーグラフ６０は、記録媒体へ書込み処理するように指定した駒画像の総ファイルサイズが、１つの記録媒体の容量を超えたときは、表示色を変更してオペレータに報知するように構成されている。
【００３６】
制御装置４は、駒画像の画像データを記録媒体へ書込む際の画像ファイルの生成条件として、標準の生成条件が予め設定されており、オペレータが特に設定変更しない限り、その標準の生成条件で、記録媒体へ書込むための画像ファイルを生成する。
この画像ファイルの生成条件は、チェックボックス５９の操作や設定変更ボタン６６の操作でオペレータが設定変更できる。
チェックボックス５９は、デフォルトではチェックを外した状態で表示され、オペレータがマウスを操作して、ここにチェックを入れると（ステップ＃２８）、１つの記録媒体へ書込み処理可能な範囲内で、その時点で記録媒体へ書込み処理するように登録されている駒画像の総ファイルサイズを最大限に大きくする（ステップ＃２９）。具体的には、空き容量が存在するときは、各画像の圧縮率を低下させて画質を向上させ、更に未だ容量に余裕があるときは、出力画像サイズ（画素数）を大きくしていく。逆に、空き容量が無く、既に１つの記録媒体の容量をオーバーしているときは、各画像の圧縮率を上げて画質を低下させ、更に未だ容量が足りないときは、出力画像サイズを小さくすることで、標準のファイルサイズよりもファイルサイズを縮小する。
この処理操作は、記録媒体へ書込み処理するように登録されている画像に対して一律に適用する。
【００３７】
一方、設定変更ボタン６６の操作では、個々の駒画像毎に独立して画像ファイルの生成条件を設定できる。
処理対象の駒画像を選択した状態で、設定変更ボタン６６が押し操作（マウスによるクリック操作等）されると（ステップ＃３６）、図６に示す「設定変更処理」を開始する（ステップ＃３７）。
この「設定変更処理」では、先ず、モニタ４ｂに、図１０に示す設定変更画面表示をウィンドウ表示する（ステップ＃４１）。
図１０の設定変更画面表示では、画像フォーマットを選択指定するためのフォーマット指定欄７０と、画像サイズ（画素数）を選択指定する画像サイズ指定欄７１と、その時点の設定状態での画像ファイルのファイルサイズを表示するファイルサイズ表示欄７２と、画像の圧縮率を設定変更するためのスライダー７３と、設定した生成条件（画像サイズを除く）で画像ファイルを生成したときの画像をプレビュー表示する画像表示欄７４と、入力操作の完了を指示するためのＯＫボタン７５と、入力操作を無効にして図５の処理に戻るためのキャンセルボタン７６とを表示している。画像サイズ指定欄７１では、少なくとも標準の画像サイズよりも複数段階で小さく設定できるパラメータが用意されており、スライダー７３では、少なくとも標準の圧縮率よりも高い圧縮率に複数段階で設定可能に構成されている。つまり、記録媒体へ書き込む画像のファイルサイズを標準のファイルサイズよりも縮小させる縮小操作の要否を駒画像毎に設定できるようにしており、更に、その縮小操作の縮小条件も駒画像毎に設定できるようにしているのである。
尚、実際には、標準の画像ファイル生成条件は、生成画像の品質が中間レベルに設定され、画像ファイルのファイルサイズの縮小側と拡大側との双方に設定変更可能に構成されている。
【００３８】
オペレータが必要な入力操作をして、ＯＫボタン７５を押し操作すると（ステップ＃４２）、フォーマット指定欄７０、画像サイズ指定欄７１及びスライダー７３の設定状態を取込み（ステップ＃４３）、その設定条件で画像ファイルを再作成し（ステップ＃４４）、その結果得られたファイルサイズ情報によって図８のバーグラフ６０等の表示データを更新する（ステップ＃４５）。
オペレータは、標準の画像ファイル生成条件では、記録媒体へ書込み処理するように登録されている駒画像の総ファイルサイズが、１つの記録媒体の容量を超えているとき（図８の空き容量表示欄５７が赤字表示で容量オーバー値を表示しているとき）に、それほど重要でない駒画像を顧客に指定してもらい、それらの画像に対して、画像毎に、図１０の画面表示から画質の低下処理及び画像サイズの縮小処理を行うように設定して、画像ファイルのファイルサイズを標準のファイルサイズよりも縮小することで、重要な画像については高品質を維持して、１オーダーの画像を１つの記録媒体に収めるという運用が可能となる。
【００３９】
１オーダーについての駒画像を１つの記録媒体に収めるには、上記の画像の品質を低下させて画像ファイルのファイルサイズを小さくする手法の他に、もっと単純に、記録媒体へ書込み処理するように登録した駒画像について、その書込み登録を解除することによっても行える。
すなわち、それほど重要でない駒画像を顧客に指定してもらい、図８の画面表示において、画像表示欄６２に表示されている駒画像のなかから顧客に指定してもらった駒画像を選択した状態で、選択解除ボタン６５を押し操作すると（ステップ＃３４）、その選択された駒画像が記録媒体への書込み処理登録から解除され（ステップ＃３５）、その分だけ、必要となる容量を少なくできる。
【００４０】
これとは、逆に、１つの記録媒体で空き容量に余裕があるときは、図７の画面表示では記録媒体へ書込み処理する画像として指定していなかった駒画像を、新たに、書込み処理対象として追加登録することもできる。
すなわち、画像表示欄６２に表示されている駒画像上にマウスカーソルを位置させた状態でマウスをダブルクリックすると（ステップ＃３２）、その駒画像が記録媒体への書込み処理対象として新たに登録され（ステップ＃３３）、図８の表示もそれに応じて更新される。
【００４１】
以上、図８の画面表示を主体に説明して来たが、表示切り替えボタン６１を押し操作することによって（ステップ＃３０）、図９に示す画面表示に切り替えることができる（ステップ＃３１）。
図９の出力画像調整画面表示では、図８の画像表示欄６２に代わって、図８の駒情報表示欄６３に表示されていた各駒画像の詳細情報を一覧表示する詳細情報表示欄８０が表示され、又、図８の駒情報表示欄６３に代わって、選択されている駒画像をサムネール表示する選択画像表示欄８１が表示されている。
詳細情報表示欄８０では、図８での表示状態と対応させて、記録媒体へ書込み処理するように指定された駒画像について、駒画像の連番表示箇所（左端の欄）の例えば黄色等の下地色（図９においては、左上がりの斜線を付して表示）で表示し、１つのオーダーにおいて記録媒体へ書込むように指定された画像の情報を、その画像のファイル名等の詳細情報として表示している。
更に、マウス等の操作で選択された駒画像については、例えば紺色等の色違いの下地色（図９においては、右上がりの斜線を付して表示）で、その駒画像の表示行全体を表示している。
尚、詳細情報表示欄８０も画像表示欄６２と同様に、表示される駒画像の情報を縦スクロール操作によって入れ替える構成としている。
その他の出力先メディア指定欄５５等の表示及び機能は、図８のものと共通である。
【００４２】
オペレータが、図８あるいは図９の出力画像調整画面表示で必要な情報の入力操作を完了して、ＯＫボタン６７を押し操作すると（ステップ＃３８）、そのオーダーの画像のうち、記録媒体へ書込み処理するように登録された駒画像についてのみ、ＣＤ−Ｒメディア等の記録媒体へ書込むためのデータに編成し（ステップ＃３９）、出力先に指定されている外部入出力装置４ａのドライブへ書込みデータを送って、書込ませる（ステップ＃４０）。
【００４３】
〔別実施形態〕
以下、本発明の別実施形態を列記する。
（１）上記実施の形態では、フィルムスキャナ３の読取り画像データを画像処理装置５へ入力して、写真フィルムの読取り画像をＣＤ−Ｒメディア等の記録媒体へ書込む場合を例示しているが、例えばデジタルカメラにて撮影した画像の画像データをメモリーカードから読み込んで画像処理装置５にて補正処理させ、その補正処理後の画像データを記録媒体に書込み処理する場合にも本発明を適用できる。
（２）上記実施の形態では、リプリント注文受付画面表示を複数画面表示から構成する場合を例示しているが、必要な情報を単一の画面表示から入力できるようにしても良い。
【００４４】
（３）上記実施の形態では、画像形成装置ＥＸとして、レーザビームを走査して画像を露光形成するレーザビーム露光式の画像形成装置ＥＸを例示しているが、ＰＬＺＴ光シャッタアレイを備えたＰＬＺＴ光シャッタ方式等の他の露光形式でも良いし、更には、インクジェット式等の露光によらないプリント形式の画像形成装置でも良い。
（４）上記実施の形態では、１つのオーダーについての画像を１つの記録媒体に収める作業を補助する機能をリプリント処理に統合した場合を例示しているが、初回のプリント注文受付時にも同様の機能を備えさせても良い。
【図面の簡単な説明】
【００４５】
【図１】本発明の実施の形態にかかる要部ブロック構成図
【図２】本発明の実施の形態にかかる写真プリントシステムの概略構成図
【図３】本発明の実施の形態にかかるフローチャート
【図４】本発明の実施の形態にかかるフローチャート
【図５】本発明の実施の形態にかかるフローチャート
【図６】本発明の実施の形態にかかるフローチャート
【図７】本発明の実施の形態にかかるリプリント注文の受付画面を示す図
【図８】本発明の実施の形態にかかる記録媒体に書込み処理する駒画像の処理条件を設定するための画面表示
【図９】本発明の実施の形態にかかる記録媒体に書込み処理する駒画像の処理条件を設定するための画面表示
【図１０】本発明の実施の形態にかかる記録媒体に書込み処理する駒画像の処理条件を設定するための画面表示
【符号の説明】
【００４６】
５    画像処理装置
ＢＣ  書込み管理装置
ＤＲ  書込み装置
ＥＰ  写真プリント装置
【図１】
2005322039.tif 000003
【図２】
2005322039.tif 000004
【図３】
2005322039.tif 000005
【図４】
2005322039.tif 000006
【図５】
2005322039.tif 000007
【図６】
2005322039.tif 000008
【図７】
2005322039.tif 000009
【図８】
2005322039.tif 000010
【図９】
2005322039.tif 000011
【図１０】
2005322039.tif 000012